(57)【要約】      （修正有）【課題】鼻うがいは、通常の飲み口が水平なコップやカップでは鼻うがいはできなかった。口うがい同様に鼻腔内上咽頭部とアデノイドのある中咽頭部を完全に容易に洗浄することができるシンプルな容器を提供する。【解決手段】鼻うがい鼻腔内洗浄容器１はこれまでのＵ字部の凹状の窪み２をつけて鼻を囲むことで容器を傾けても鼻の両脇から液体をこぼすことなく両鼻孔で液体を吸引することができる。水を口で飲む要領で生理食塩水溶液を両鼻孔道をストローにして生理食塩水を口腔内に吸い込みその後口を開けて外に吐き出す。これを数回繰り返して鼻うがい鼻腔内洗浄をする。鼻腔内上咽頭部とアデノイドのある中咽頭部の奥まで洗浄することができる。鼻うがい鼻腔内洗浄容器には生理食塩水が作れる目盛り３をつけて、目盛りに対応した食塩をスプーンマドラー４ですくい鼻うがいが鼻腔内洗浄容器の水にかき混ぜて生理食塩水が容易に作成できるようにした。【選択図】図１
2020182756.tif 000002
【特許請求の範囲】
【請求項１】
液体容器の飲み口の一部が鼻幅のＵ字の凹状の切れ込み窪み（２）がついたことを特徴として生理食塩液が作成できる目盛り（３）がついた鼻うがい鼻腔内洗浄容器（１）。
【発明の詳細な説明】
【技術分野】
【０００１】  カップやコップなどの液体容器の飲み口の一部を鼻幅のＵ字の凹状の切れ込み窪み（２）をつけるだけで、液体をこぼさず両鼻孔で液体を吸い込み鼻腔内上咽頭部とアデノイドのある中咽頭部の鼻腔内を溶液で満たし洗浄することができる。口うがい容器と同じようにシンプルな容器で鼻うがいができる。鼻幅のＵ字の凹状の切れ込み窪み（２）部で鼻を囲んで鼻うがい鼻腔内洗浄容器（１）を顔におしつけて、生理食塩水で両鼻孔（５）をふさいだ位置まで傾けその両鼻孔道をストローにして鼻腔内（６）へ生理食塩水を吸い込み口腔内（８）へ吸いだすことで、鼻腔内上咽頭部とアデノイドのある中咽頭部に付着した汚物や鼻汁や血液や細菌やウイルスや花粉や粉塵を口腔内に吸い出し洗い流すことができる。鼻うがいは鼻腔内上咽頭部とアデノイドのある中咽頭部を洗浄することが重要である。鼻うがいの溶液は生理食塩水でなければ鼻腔内に痛みをおこす。鼻うがいは健康管理に効果的であるため、口うがい容器と同じようにシンプルで日常的に生理食塩水が容易にできるように鼻腔内洗浄容器（１）には生理食塩液量の水量目盛り（３）と水量に対比した生理食塩量を測り同時にかき混ぜることができるスプーンがマドラ―（４）を付属した鼻うがい鼻腔内洗浄容器に関する。
【背景技術】
【０００２】  従来のコップやカップなどの液体容器の飲み口は水平であり、鼻孔脇から液体が零れ落ち溶液を両鼻で吸い込むことはできなかった。さらに鼻腔内上咽頭部とアデノイドのある中咽頭部の鼻の奥に液体を吸い込むことができず鼻腔内に洗浄液が届く前に両鼻から下に零れ落ちていた。鼻うがいで鼻腔内上咽頭部とアデノイドのある中咽頭部を洗浄することは重要でありながら液体が鼻腔内上咽頭部とアデノイドのある中咽頭部にまで至らなかった。【０００３】  先行技術の鼻腔内洗浄器などはノズルを鼻の穴に差し込んで噴射させたり、医療用で鼻の中に片方ずつチューブをいれたりするものや市販の鼻薬もプラスチックなどの柔らかいチュウブノズルを片方ずつ鼻に差し込んで、噴射や注入させるものがあるが注入した鼻孔から下に零れおちていた。また先行技術の鼻腔内洗浄器自体が複雑な構造で、口うがいをするように日常的に容易に使用することができなかった。本来、鼻腔内の洗浄は鼻腔内奥に付着した汚物や鼻汁や血液や細菌やウイルスや花粉や粉塵を完全に洗い流すことにあるが、先行技術では鼻腔内上咽頭部とアデノイドのある中咽頭部の内壁を完全に満たすことができず、鼻孔から鼻腔内に至らず洗浄液が鼻孔からそのまま零れ落ちて周囲も汚していた。【０００４】  さらに真水が鼻腔内に入ると鼻腔内の粘膜で痛みが生じるためうがい溶液は生理食塩水が必要であるが、日常的に容易に生理食塩水を作り、口うがいのように鼻腔内の洗浄を行うことは困難であった。
【先行技術文献】
【特許文献】
【０００５】
【特許文献１】特開２０００−２３３０２３（Ｐ２０００−２３３０２３Ａ）
【非特許文献１】
【０００６】
【特許文献１】特開２００３−１８０７９２（Ｐ２００３−１８０７９２Ａ）
【非特許文献１】
【０００７】
【特許文献１】特開２００４−７３８（Ｐ２００４−７３８Ａ）
【非特許文献１】
【０００８】
【特許文献１】実用新案登録第３１１２８５５号（Ｕ３１１２８５５）
【非特許文献１】
【発明の概要】
【発明が解決しようとする課題】
【０００９】  解決しようとする問題点は、コップやカップなどの液体容器の飲み口は水平であり、溶液を両鼻で吸い込む際に鼻の両脇から溶液がこぼれ落ちる。シンプルな構造で口うがい同様に容器を傾けて鼻の両脇から溶液がこぼれ落ちることなく鼻うがいができなければならない。また鼻腔内を洗浄するには液体の基盤を生理食塩液にしなければ鼻腔内粘膜で痛みを生じる。日常的に鼻うがいをするためには鼻うがい毎に容易に生理食塩水が作成できなければならない。
【課題を解決するための手段】
【００１０】  鼻の両脇から溶液がこぼれ落ちずに鼻に空気をいれないようにする解決する手段として、液体を飲むカップやコップといった容器の飲み口の一部に人の鼻幅くらいのＵ字に凹状のカットした窪み（２）を入れた。このＵ字の凹状の窪み部で鼻を囲みがあるために液体容器を傾けても鼻からこぼすことがない。鼻幅くらいのＵ字に凹状のカットした窪み（２）で鼻を囲み押し付けて、傾けた液体で鼻孔を塞ぎ鼻孔道をストローにする要領で生理食塩水を口腔内に吸いこませることで、鼻腔内上咽頭部とアデノイドのある中咽頭部を洗浄することができる鼻うがい鼻腔内洗浄容器（１）とした。鼻うがいが口うがい同様に日常的に容易に鼻うがい毎に生理食塩水を鼻うがい鼻腔内洗浄器で作成するために鼻うがい鼻腔内洗浄器（１）に生理食塩量を測るスプーンマドラー（４）と対比した目盛り（３）をつけることで鼻うがい鼻腔内洗浄器（１）を使用毎に容易に生理食塩水を作成できる。水または温水と食塩があれば日常的に容易に鼻うがい鼻腔内洗浄ができるようにした。
【発明の効果】
【００１１】  以上から、鼻うがい鼻腔内洗浄器（１）には鼻幅のＵ字の凹状の窪み（２）をつけたシンプルな仕組みにしたことで、溶液を鼻の両脇からこぼすことなく、周囲を汚すことなく、両鼻穴で溶液をストローで吸い込む要領で鼻腔内上咽頭部とアデノイドのある中咽頭部を完全に満たして洗浄して口内に吸い込み、その後口から鼻腔内を洗浄した汚水を吐き出して鼻うがいができる。鼻幅のＵ字の凹状の窪み（２）の反対側では口うがいもできる。鼻うがい鼻腔内洗浄器（１）に生理食塩水が容易に作成できる生理食塩と対比した目盛り（３）と生理食塩量を容易に測ることができるスプーンマドラー（４）をセットにしたことで、水か温水に食塩があれば日常的に鼻うがい毎に生理食塩水を鼻腔内洗浄容器の中に作成して鼻うがいができる。【００１２】  鼻腔内洗浄容器は、通常の液体容器であればコップやカップやの飲み口の一部に鼻幅でＵ字の凹状の窪みカットをつけたものであれば、素材はプラスチック、紙、陶容器、ガラス、木素材などのあらゆる素材でよく、紙コップには鼻幅でＵ字のミシン目をいれて、Ｕ字に切り取って使用する。紙コップであればＵ字にミシン目を入れた、ミシン目を切り取り、医療機関や教育機関や旅行先でも家庭でも鼻腔内洗浄をして衛生的に使い捨てができる。鼻うがいに複雑な器具や装置が不要である。鼻腔内洗浄容器の反対側では口内のうがい飲み口として使える。本発明は、これまでのカップやコップやあらゆる素材の飲用容器の使用方法を一つ広げることができ、これまでの複雑な仕組みの鼻腔内洗浄器と比べるとＵ字の凹状の窪みカットをつけただけの簡便な容器で容易に鼻腔内上咽頭部とアデノイドのある中咽頭部の鼻腔内洗浄が簡便に行える。日常家庭に使用するためには鼻うがい鼻腔内洗浄器に生理食塩液を容易に作れるように水量目盛り（３）をつけ水量に対応する食塩を計量するスプーンマドラー（４）と組み合わせたことで日々の口うがいと同様に鼻うがいが容易にできると、鼻腔内上咽頭部とアデノイドのある中咽頭部の鼻の奥の汚れ、粉塵、鼻汁、血液、花粉、細菌、ウイルスなどの感染症対策が日常的に行え、病気の予防と健康の維持につながる。
【図面の簡単な説明】
【００１３】
【図１】鼻腔内洗浄器（１）と鼻幅のＵ字の凹窪み（２）と生理食塩水作成目盛り（３）生理食塩計量首長スプーンマドラー（４）である。
【図２】鼻うがい鼻腔内洗浄器（１）を使用している本発明の実施例である。
【発明を実施するための形態】
【００１４】  本発明の実施の形態は、まず鼻腔内洗浄用容器（１）に生理食塩水が定量できる水量の目盛り（３）に水量を合わせ、鼻うがい鼻腔内洗浄器の生理食塩水目盛りに対応した食塩（１１）を付属の首長スプーンマドラー（４）で入れてかき混ぜて生理食塩水をつくる。生理食塩水が出来上がったら鼻幅のＵ字にカットした凹部部分で鼻を包み鼻に押しあてて鼻の両孔が食塩水で満たされるように上に傾けて、鼻孔道をストローにして生理食塩水を口腔内に吸い込んで口に溜めて後に口から静かに吐き出す。これを数回にわたり繰り返して鼻うがいを実施する。
【符号の説明】
【００１５】１  鼻うがい鼻腔内洗浄器。
２  鼻うがい鼻腔内洗浄器のＵ字の凹状部の窪み
３  鼻うがい鼻腔内洗浄器の水の目盛り
４  鼻腔内洗浄用容器に対応した生理食塩計量スプーンマドラー
５  鼻穴
６  鼻腔内上咽頭部とアデノイドのある中咽頭部
７  気管
８  口腔内
９  舌
１０唇
１１食塩容器
【図１】
2020182756.tif 000003
【図２】
2020182756.tif 000004